(57)【特許請求の範囲】
【請求項１】
複数の層を有する光学シートであって、
前記複数の層のうち少なくとも１層が、光を透過可能にシート面に沿って並列されて形成されるプリズム部と、前記プリズム部間に光を吸収可能に並列される光吸収部と、を有する光学機能シート層であり、他の少なくとも１層が、シート状である基材に光拡散粒子が分散された光拡散材含有層であるとともに、
前記光拡散材含有層の前記基材の屈折率をＮｄＫ、アッベ数をνｄＫとし、前記光拡散粒子の屈折率をＮｄＲ、アッベ数をνｄＲとしたとき、
前記ＮｄＫと前記ＮｄＲとの屈折率差が０．０２以上、０．０６以下であり、
前記νｄＫとνｄＲとの差が１０以上、３０以下であるとともに、
ＮｄＫ＜ＮｄＲ、かつ、
νｄＫ＜νｄＲ
を満たすことを特徴とする光学シート。
【請求項２】
前記光拡散材含有層に含まれる前記光拡散粒子の平均粒径が４μｍ以上、１６μｍ以下であることを特徴とする請求項１に記載の光学シート。
【請求項３】
前記光拡散材含有層の前記基材が有機材料からなる、請求項１又は２に記載の光学シート。
【請求項４】
前記光拡散粒子が無機材料により形成されていることを特徴とする請求項１〜３のいずれか一項に記載の光学シート。
【請求項５】
前記光学機能シート層の前記光吸収部には樹脂からなるバインダーが充填されるとともに、該バインダーには平均粒径が１μｍ以上の光吸収粒子が分散されていることを特徴とする請求項１〜４のいずれか一項に記載の光学シート。
【請求項６】
前記光学機能シート層の前記プリズム部及び前記光吸収部が所定の断面を維持して長手方向に延在して形成され、前記光学機能シート層が２層積層されるとともに、該２層の光学機能シート層のうちの一方の前記光学機能シート層の前記光吸収部の長手方向と、前記２層の光学機能シート層のうちの他方の前記光学機能シート層の前記光吸収部の長手方向とが所定の角度を有するように積層されることを特徴とする請求項１〜５のいずれか一項に記載の光学シート。
【請求項７】
前記所定の角度が９０度であることを特徴とする請求項６に記載の光学シート。
【請求項８】
前記光学機能シート層の前記光吸収部が所定の角度で交わる格子状に形成されていることを特徴とする請求項１〜５のいずれか一項に記載の光学シート。
【請求項９】
前記所定の角度が９０度であることを特徴とする請求項８に記載の光学シート。
【請求項１０】
前記複数の層が、前記光学機能シート層及び前記光拡散材含有層に加え、該光学機能シート層のベースとなる層である基材層、粘着剤層、アンチグレアフィルム層、及びＴＡＣフィルム層の少なくとも１層を含むことを特徴とする請求項１〜９のいずれか一項に記載の光学シート。
【請求項１１】
前記複数の層が、前記光学機能シート層及び前記光拡散材含有層に加え、アンチグレアフィルム層を備え、前記光拡散材含有層が前記光学機能シート層とアンチグレアフィルム層との間に具備されていることを特徴とする請求項１〜１０のいずれか一項に記載の光学シート。
【請求項１２】
前記光拡散材含有層がアンチグレア機能を合わせて備えることを特徴とする請求項１〜第１０のいずれか一項に記載の光学シート。
【請求項１３】
請求項１〜１２のいずれか一項に記載の光学シートを具備することを特徴とする映像表示装置。
【発明の詳細な説明】
【技術分野】
【０００１】
本発明は、映像源から出射される映像光を制御して観察者側に出射する光学シート、及び映像表示装置に関し、詳しくは、映像光を観察する角度による色彩の変化を低減することができる光学シート、及び映像表示装置に関する。
【背景技術】
【０００２】
液晶ディスプレイ、プラズマディスプレイ、リアプロジェクション、有機ＥＬ、ＦＥＤ等のような、映像を観察者に出射する映像表示装置には、映像源と、該映像源からの映像光の質を高めて観察者に出射するための各種機能を有する層を具備する光学シートとが備えられている。【０００３】
光学シートとしては、例えば特許文献１等が開示されている。特許文献１に記載の光学シートは、映像光を透過させる部位と、該映像光を透過させる部位間に配置された三角形の構造体を有している。そして、映像光を透過させる部位と三角形の構造体との界面で映像光を反射させて光を分散させる。これによれば映像光を広い角度に分散させることができる。
【先行技術文献】
【特許文献】
【０００４】
【特許文献１】特表２００３−５０４６９１号公報
【発明の開示】
【発明が解決しようとする課題】
【０００５】
しかしながら、特許文献１に記載の光学シートをはじめ、従来の光学シートを映像表示装置に用いて該映像表示装置を作動させたときに、映像を観察する角度によってその色彩が異なって見える場合があった。このように映像を観察する角度によって色彩が変化して見えることは、より高い質の映像光を提供する観点から改善する必要があった。【０００６】
そこで本発明は、上記問題点に鑑み、映像を観察する角度による色彩の変化を生じ難い光学シート、及び映像表示装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。【０００８】
発明者らは鋭意検討の結果、映像を観察する角度による色彩の変化は、光が屈折するときに生じる光の波長分散が原因の１つであるとの知見を得た。そこで発明者らは当該知見に基づいて以下の発明を完成させた。【０００９】
請求項１に記載の発明は、複数の層を有する光学シート（１０）であって、複数の層のうち少なくとも１層が、光を透過可能にシート面に沿って並列されて形成されるプリズム部（１３、１３、…）と、プリズム部間に光を吸収可能に並列される光吸収部（１４、１４、…）と、を有する光学機能シート層（１２）であり、他の少なくとも１層が、シート状である基材に光拡散粒子が分散された光拡散材含有層（１８）であるとともに、光拡散材含有層の基材の屈折率をＮｄＫ、アッベ数をνｄＫとし、光拡散粒子の屈折率をＮｄＲ、アッベ数をνｄＲとしたとき、ＮｄＫとＮｄＲとの屈折率差が０．０２以上、０．０６以下であり、νｄＫとνｄＲとの差が１０以上、３０以下であるとともに、ＮｄＫ＜ＮｄＲかつνｄＫ＜νｄＲを満たすことを特徴とする光学シートを提供することにより前記課題を解決する。
【００１０】
ここで屈折率Ｎｄ、及びアッベ数νｄは、波長が４８６．１ｎｍ（ｆ線）における屈折率をＮｆ、波長が５８９．２ｎｍ(ｄ線）における屈折率をＮｄ、波長が６５６．３ｎｍ（ｃ線）における屈折率をＮｃとしたときに、νｄ＝（Ｎｄ−１）／（Ｎｆ−Ｎｃ）で表される値である。従って、アッベ数が大きければ波長による分散は小さく抑えられ、アッベ数が小さいと波長による分散が大きくなる。
また、プリズム部が「シート面に沿って並列され」とは、当該プリズム部がシート面の一方向に沿って並列されることに限定されず、シートの面に沿って所定の法則性を有して並べられるように配置されていれば良い概念である。従って、例えばシート面に沿って斜めに並べられてもよいし、千鳥状に並べられてもよい。【００１３】
請求項２に記載の発明は、請求項１に記載の光学シート（１０）において、光拡散材含有層（１８）に含まれる光拡散粒子の平均粒径が４μｍ以上、１６μｍ以下であることを特徴とする。
【００１４】
ここで「平均粒径」とは、重量分布法による粒度測定で、当該平均粒径に対して±０．５μｍである粒子を対象とし、粒度分布において標準偏差が０．３以上であることを意味する。
請求項３に記載の発明は、請求項１又は２に記載の光学シート（１０）において、光拡散材含有層の前記基材が有機材料からなる。
【００１５】
請求項４に記載の発明は、請求項１〜３のいずれか一項に記載の光学シート（１０）の光拡散粒子が無機材料により形成されていることを特徴とする。
【００１６】
請求項５に記載の発明は、請求項１〜４のいずれか一項に記載の光学シート（１０）の光学機能シート層の光吸収部（１４、１４、…）には樹脂からなるバインダー（１５、１５、…）が充填されるとともに、該バインダーには平均粒径が１μｍ以上の光吸収粒子（１６、１６、…）が分散されていることを特徴とする。
【００１７】
ここで「平均粒径が１μｍ以上」であることにおける「平均粒径が１μｍ」とは、重量分布法による粒度測定で、粒径が０．５μｍ以上で、１．５μｍより小さい粒子を対象とし、粒度分布において標準偏差が０．３以上であることを意味する。以下同様である。【００１８】
請求項６に記載の発明は、請求項１〜５のいずれか一項に記載の光学シートの光学機能シート層のプリズム部及び光吸収部が所定の断面を維持して長手方向に延在して形成され、光学機能シート層が２層積層されるとともに、該２層の光学機能シート層のうちの一方の光学機能シート層の光吸収部の長手方向と、２層の光学機能シート層のうちの他方の光学機能シート層の光吸収部の長手方向とが所定の角度を有するように積層されることを特徴とする。
【００１９】
請求項７に記載の発明は、請求項６に記載の光学シートの所定の角度が９０度であることを特徴とする。
【００２０】
請求項８に記載の発明は、請求項１〜５のいずれか一項に記載の光学シートの光学機能シート層の光吸収部が所定の角度で交わる格子状に形成されていることを特徴とする。
【００２１】
請求項９に記載の発明は、請求項８に記載の光学シートの所定の角度が９０度であることを特徴とする。
【００２２】
請求項１０に記載の発明は、請求項１〜９のいずれか一項に記載の光学シート（１０）の複数の層が、光学機能シート層（１２）及び光拡散材含有層（１８）に加え、該光学機能シート層のベースとなる層である基材層（１１）、粘着剤層（１７）、アンチグレアフィルム層（２０）、及びＴＡＣフィルム層（１９）の少なくとも１層を含むことを特徴とする。
【００２３】
ここで「アンチグレア」は「防眩」を意味する。【００２４】
請求項１１に記載の発明は、請求項１〜１０のいずれか一項に記載の光学シート（１０）の複数の層が、光学機能シート層（１２）及び光拡散材含有層（１８）に加え、アンチグレアフィルム層（２０）を備え、光拡散材含有層が光学機能シート層とアンチグレアフィルム層との間に具備されていることを特徴とする。
【００２５】
請求項１２に記載の発明は、請求項１〜１０のいずれか一項に記載の光学シートの光拡散材含有層がアンチグレア機能を合わせて備えることを特徴とする。
【００２６】
請求項１３に記載の発明は、請求項１〜１２のいずれか一項に記載の光学シートを具備することを特徴とする映像表示装置を提供することにより前記課題を解決する。
【発明の効果】
【００２７】
本発明の光学シート、該光学シートを備える映像表示装置により映像を観察する角度によって色彩が変化することを抑制することが可能となる。
【図面の簡単な説明】
【００２８】
【図１】第一実施形態に係る光学シートの断面を示し、その層構成を模式的に表した図である。
【図２】図１に示した光学シートのうち光学機能シート層の一部を拡大して示した図である。
【図３】図１に示した光学シートを備える映像表示装置のうち映像源ユニットの断面を示し、その層構成を模式的に表した図である。
【図４】光拡散材含有層が具備されない光学シートについて説明する図である。
【図５】従来の光拡散材含有層が設けられた光学シートについて説明するための図である。
【図６】従来の光学シートのＲ、Ｇ、Ｂと屈折率との関係を説明するための模式的に示したグラフである。
【図７】図３に示した実施形態における光拡散材含有層を備える光学シートについて説明するための図である。
【図８】図３に示した実施形態に備えられた光学シートのＲ、Ｇ、Ｂと屈折率との関係を説明するための模式的に示したグラフである。
【図９】図３に示した実施形態における光拡散材含有層を備える光学シートについて説明するための他の図である。
【図１０】図１に示した光学シートの第一の変形例に係る光学シートの断面を示し、その層構成を模式的に表した図である。
【図１１】第二の変形例に係る光学シートのうち光学機能シート層を説明するための図である。
【図１２】第三の変形例に係る光学シートのうち光学機能シート層を説明するための図である。
【符号の説明】
【００２９】
１  映像源ユニット
２  バックライト（映像源）
３  偏光板
４  液晶パネル（映像源）
５  偏光板
６  粘着剤層
１０  光学シート
１１  ＰＥＴフィルム層（基材層）
１２  光学機能シート層
１３  プリズム部
１４  光吸収部
１５  バインダー部
１６  光吸収粒子
１７  粘着剤層
１８  光拡散材含有層
１９  ＴＡＣフィルム層
２０  ＡＧ層
【発明を実施するための形態】
【００３０】
本発明の上記作用及び利得は、次に説明する発明を実施するための形態から明らかにされる。以下本発明を図面に示す実施形態に基づき説明する。ただし本発明は実施形態に限定されるものではない。
【００３１】
図１は、第一実施形態に係る光学シート１０の断面を示し、その層構成を模式的に表した図である。光学シート１０は、ＰＥＴフィルム層１１、光学機能シート層１２、粘着剤層１７、光拡散材含有層１８、ＴＡＣフィルム層１９、及びアンチグレアフィルム層（ＡＧ層）２０を備えている。上記各層は図１で示した断面を維持して紙面奥／手前方向に延在する。以下に各層について説明する。以下に示す図では、見易さのため繰り返しとなる符号は一部省略することがある。
【００３２】
ＰＥＴフィルム層１１は、該ＰＥＴフィルム層１１の一方の面上に光学機能シート層１２を形成するためのベースとなる基材層としてのフィルム層で、ポリエチレンテレフタレート（ＰＥＴ）を主成分として形成されている。当該ＰＥＴフィルム層１１はＰＥＴを主成分として含有していれば良く、他の樹脂が含まれてもよい。ここで主成分とはＰＥＴフィルム層全体に対して５０質量％以上を意味する。また、各種添加剤を添加してもよい。一般的な添加剤としては、フェノール系等の酸化防止剤、ラクトン系等の安定剤等を挙げることができる。
【００３３】
ここでは基材層としてＰＥＴフィルム層を説明したが、必ずしもＰＥＴを材料とすることはなく、その他にもポリブチレンテレフタレート樹脂（ＰＢＴ）、又はポリトリメチレンテレフタレート（ＰＴＴ）樹脂等の「ポリエステル系樹脂」を用いることができる。本実施形態では、性能に加え、量産性、価格、入手可能性等の観点からポリエチレンテレフタレート（ＰＥＴ）を主成分とする樹脂が好ましい材料であるとして説明した。
【００３４】
光学機能シート層１２は、シートの厚さ方向断面において略台形であるプリズム部１３、１３、…と、該プリズム部１３、１３、…の間に配置された光吸収部１４、１４、…とを備えている。図２に２つの光吸収部１４、１４及びこれに隣接するプリズム部１３、１３、１３に着目した拡大図を示した。図１、図２を参照しつつ光学機能シート層１２について説明する。
【００３５】
プリズム部１３、１３、…は、ＰＥＴフィルム層１１側が下底、他方の側が上底となるように配置された略台形断面を有する要素である。また、プリズム部１３、１３、…は、屈折率がＮＰである光透過性樹脂で構成されている。これは通常、電離放射線、紫外線等により硬化する特徴を有する例えばエポキシアクリレート等により形成されている。ＮＰの大きさは特に限定されることはないが、適用材料の入手性の観点から１．４９〜１．５６であることが好ましい。当該プリズム部１３、１３、…内を映像光が透過することにより観察者に映像光が提供される。
【００３６】
光吸収部１４、１４、…は、プリズム部１３、１３、…の間に配置される部位である。光吸収部１４、１４、…はプリズム部１３、１３、…の上底側を底辺とし、これに対向する頂点がプリズム部１３、１３、…の下底側となるような略三角形断面形状である。該光吸収部１４、１４、…は、屈折率がＮＢである物質が充填されたバインダー部１５、１５、…と、該バインダー部１５、１５、…に混入された光吸収粒子１６、１６、…とを備えている。当該光吸収部１４、１４、…に外光が入射して吸収されることにより、外光が映像光に及ぼす影響を減じることができ、コントラストを向上させることが可能となる。
【００３７】
バインダー部１５、１５、…に充填されるバインダー材は、屈折率ＮＢである材料により構成される。ＮＢの大きさは特に限定されることはないが、適用する材料の入手性の観点から１．４９〜１．５６であることが好ましい。そして該バインダー材として用いられるものも特に限定されることはないが、例えば、電離放射線、紫外線等により硬化する特徴を有するウレタンアクリレート等を挙げることができる。
【００３８】
ここで、プリズム部１３、１３、…の屈折率ＮＰとバインダー部１５、１５、…の屈折率ＮＢとの差は、ＮＰ−ＮＢが０より大きく、０．１０以下であることが好ましい。これによりプリズム部１３、１３、…と光吸収部１４、１４、…との界面で適切に全反射がおこなわれるとともに、迷光や外光を光吸収部１４、１４、…に入射させて吸収させることができる。
【００３９】
光吸収粒子１６、１６、…は、入手性及び製造上の観点から平均粒径が１μｍ以上の粒子が好ましく、これはカーボン等の粒子又は赤、青、黄等の染料にて所定の濃度に着色されている。これには例えば市販の着色樹脂粒子を使用することもできる。当該光吸収粒子１６、１６、…の屈折率は特に限定されるものではない。
【００４０】
ここで、光吸収部１４、１４、…の光吸収性能は目的によって適宜調整可能であるが、該光吸収部を構成する材料のみで形成された６μｍ厚さのシートの透過率測定において、透過率が４０％〜７０％となるような光吸収性能を有するように構成されていることが好ましい。透過率を４０％〜７０％とするための手段は特に限定されるものではないが、例えば光吸収粒子の含有量や光吸収性能を調整して適用することを挙げることができる。
【００４１】
さらに、光吸収部１４、１４、…の斜辺（シート厚さ方向に延在する２つの辺）のシート面法線に対する角度θは目的に応じて変更可能であり、特に限定されるものではないが、本実施形態の光学シート１０では、適切に外光及び映像光の反射、吸収をする観点から、６度〜１５度であることが好ましい。
【００４２】
光学機能シート層１２は、図１、図２に示したように、プリズム部１３、１３、…が略台形断面を有し、これらに挟まれて形成される光吸収部１４、１４、…は三角形断面を有している。しかし、適切に光を制御することができれば、これら形状は特に限定されることなく適宜適切な形状が採用される。これには例えば光吸収部が三角形断面ではなく、台形断面であってもよい。また、プリズム部と光吸収部との界面を形成する斜辺が折れ線状や曲線状であってもよい。
【００４３】
粘着剤層１７は、光学機能シート層１２を光拡散材含有層１８に接着するために粘着剤が配置された層である。粘着剤層１７に用いられる粘着剤は光を透過させるとともに、光学機能シート層１２を他に接着させることができればその材質は特に限定されるものではない。これには、例えばＰＳＡ（感圧接着剤、ｐｒｅｓｓｕｒｅ  ｓｅｎｓｉｔｉｖｅ  ａｄｈｅｓｉｖｅ）を挙げることができる。その粘着力は例えば数Ｎ／２５ｍｍ〜２０Ｎ／２５ｍｍ程度である。
【００４４】
光拡散材含有層１８は、透光性のあるシート状である基材と、該基材の中に分散されている光拡散粒子とを有して形成されている層である。基材は光が透過可能な材料であるとともに、所定の屈折率ＮｄＫ及びアッベ数νｄＫを有して形成されている。ここで屈折率Ｎｄ、及びアッベ数νｄは、波長が４８６．１ｎｍ（ｆ線）における屈折率をＮｆ、波長が５８９．２ｎｍ(ｄ線）における屈折率をＮｄ、波長が６５６．３ｎｍ（ｃ線）における屈折率をＮｃとしたときに、νｄ＝（Ｎｄ−１）／（Ｎｆ−Ｎｃ）で表される値である。次に説明する光拡散粒子も同様である。
【００４５】
一方、光拡散粒子は、基材の中に分散された粒子状の部材であり、屈折率ＮｄＲ及びアッベ数νｄＲを有している。
【００４６】
ここで、基材の屈折率ＮｄＫ、アッベ数νｄＫと、光拡散粒子の屈折率ＮｄＲ、アッベ数νｄＲとは、
ＮｄＫ＜ＮｄＲ、かつ、
νｄＫ＜νｄＲ
である関係を有する。これにより波長分散を抑えつつ光を拡散し、映像を観察する角度による色彩の変化を抑制することが可能となる。このように色彩の変化を抑制することができる理由については後で詳しく説明する。
【００４７】
すなわち、第一に光拡散粒子の屈折率ＮｄＲは、基材の屈折率ＮｄＫよりも大きい。その差は、０．０２〜０．０６であることが好ましい。屈折率差が０．０２より小さいと光拡散効果が小さいので多くの光拡散粒子を添加しなければならず、経済的、及び製造過程の観点から好ましくない。一方、屈折率差が０．０６より大きくなると光拡散効果は大きいが、そのために所定の光拡散特性を得るための光拡散粒子数が少なくなり、ぎらつき（シンチレーション）の原因となる。より好ましい屈折率差は０．０３程度である。
【００４８】
第二に、光拡散粒子のアッベ数νｄＲは、基材のアッベ数νｄＫよりも大きい。これにより、上記の光拡散粒子と基材との屈折率差に起因して生じる波長の短い青色の光線に対する拡散が波長の長い赤色の光線に対する拡散より強いという波長依存性を抑えることができる。その結果、後述するように、映像を観察する角度により色彩が変化することを抑制することが可能となる。アッベ数の差は、可能な限り大きい方がよい。具体的には１０以上であることが好ましく、基材及び光拡散粒子を上記屈折率の関係を有しつつ、さらにアッベ数について当該条件を満たすものを考慮したとき、一般的に入手することができ、汎用性を確保することができるとの観点から３０程度であることがさらに好ましい。
【００４９】
このような光拡散材含有層１８を構成する基材、及び光拡散粒子の組み合わせは上記関係を満たすものであれば特に限定されるものではない。しかし、一般的にいわゆるアクリル／スチレン等の樹脂（有機材料）では屈折率が大きくなるほどアッベ数は小さくなる傾向があり、これを光拡散粒子としたときには上記を満たさない場合がある。これに対して無機材料を用いることによりこれを満たすことができることが多い。このように、光拡散粒子を無機材料とすることにより、容易に上記関係を満たすことが可能となる。無機材料としては、例えば各種酸化物、窒化物を挙げることができ、例えばシリカ、アルミナ、ジルコニア、窒化ケイ素等がある。その他ダイヤモンドであってもよい。その中でも、様々な屈折率、アッベ数のものを入手することができ、その入手も容易である等の観点からガラスビーズを好ましく用いることができる。
一方、基材は、フィルム状への成形が容易、取り扱いや貼付性等の観点から有機材料、特に樹脂材料であることが好ましい。これには例えばアクリル樹脂、スチレン樹脂、及びアクリルスチレン樹脂を挙げることができる。
例えば基材として屈折率１．４９、アッベ数５０のアクリル樹脂、光拡散粒子として屈折率１．５２、アッベ数６０のガラスを入手することができ、これよれば、屈折率差を０．０３、アッベ数の差を１０とすることが可能である。
【００５０】
光拡散粒子の基材に対する含有量は特に限定されるものではないが、基材１００質量部に対して、光拡散粒子を５〜２０質量部の割合で添加する（これを「５〜２０パーツ」と記載することがある。）ことが好ましく、１０〜１５質量部（１０〜１５パーツ）であることがさらに好ましい。ヘイズ値も特に限定されることはないが、１０〜３０の範囲であることが好ましい。
【００５１】
光拡散粒子は上記の特徴を有するものであれば特に限定されるものではないが、より拡散性を向上させる観点から球形であることが好ましく、その平均粒径は１６μｍ以下であることが好ましい。これは、平均粒径が１６μｍより大きいと「ぎらつき（シンチレーション）」の原因となることがあるからである。さらに好ましくは、４μｍ〜１６μｍである。これは４μｍより小さいと光の散乱の態様が変わる（例えばミー散乱等）可能性があるからである。
【００５２】
ＴＡＣフィルム層１９は、トリアセチルセルロースにより形成されるフィルムであり、保護膜として用いられる。ＴＡＣフィルム層１９に用いられるＴＡＣフィルムは通常の液晶ディスプレイパネルユニットに用いられるＴＡＣフィルムを適用することが可能である。
【００５３】
ＡＧ層２０は、観察者が画面を見た時のぎらつきを防止することができるフィルム（防眩フィルム）である。当該防眩フィルムは通常に入手できるＡＧフィルムを適用することが可能である。本実施形態ではここをＡＧ層としたが、ＡＧ層の替わりにＡＲ層が配置されていてもよい。ＡＲ層は「アンチリフレクション層」を意味し、反射を防止することができる層である。
【００５４】
本実施形態では、光拡散材含有層１８とＡＧ層２０とを別層として設けたが、例えばＡＧ層２０の位置に光拡散材含有層を配置し、該光拡散材含有層の面をマット面（凹凸面）とすることにより防眩機能を有することもできる。これによれば光拡散材含有層とＡＧ層の機能を１枚の層に持たせることが可能となる。
【００５５】
次に、光学シート１０を備える映像表示装置について説明する。図３は映像表示装置のうち、これに備えられる映像源ユニット１の断面を示し、その層構成を模式的に表した図である。図４では紙面右が観察者側である。本実施形態の映像表示装置は液晶表示装置であり、映像源ユニット１は液晶ディスプレイパネルユニットである。光学シート１０は当該映像源ユニット１の一部を形成している。
【００５６】
映像源ユニット１は、バックライト２、偏光板３、液晶パネル４、偏光板５、粘着剤層６、及び光学シート１０を備えている。これら各層は図３に示した断面を維持して紙面奥／手前方向に延在する。ここで光学シート１０は、粘着層６の観察者側に積層されている。以下に各層について説明する。また、映像表示装置には、映像源ユニット１０を作動させるための電気回路、電源回路が備えられている。
【００５７】
バックライト２は、液晶パネル４の光源である。ここには通常の液晶ディスプレイパネルユニットに用いられるバックライトを用いることができる。これには例えば、発光源を面内に略均等に配置して面状の光源とする形式や、縁（エッジ）に発光源を配置して反射面等を利用して最終的に面状に光を出射するエッジ入力型とする形式等を挙げることができる。
【００５８】
偏光板３、５は、液晶パネル４を挟むように配置される一対の光学要素であり、吸収軸方向に平行な振動面を有する偏光光を吸収する一方、吸収軸方向に直交する振動面を有する偏光光を透過する機能を有する。当該偏光板３、５と液晶パネル４を透過したバックライト２の光が映像光となり観察者側に出射される。
【００５９】
液晶パネル４は、映像源ユニット１における映像源を構成する要素の１つであり、ここに出射されるべき映像情報が表されている。ここには通常の液晶ディスプレイパネルユニットに用いられる液晶パネルを用いることができる。従って、映像源ユニット１では、バックライト２、偏光板３、５、及び液晶パネル４により映像源が形成される。
【００６０】
粘着剤層６は、光学シート１０を映像源に接着するために接着剤が配置された層である。粘着剤層６に用いられる粘着剤は、光学シート１０で説明した粘着層１７の粘着剤と同じものを用いることができ、光を透過させるとともに、適切な接着をすることができればその材質は特に限定されるものではない。これには、例えばＰＳＡ（感圧接着剤、ｐｒｅｓｓｕｒｅ  ｓｅｎｓｉｔｉｖｅ  ａｄｈｅｓｉｖｅ）を挙げることができる。その粘着力は例えば数Ｎ／２５ｍｍ〜２０Ｎ／２５ｍｍ程度である。
【００６１】
以上のような映像源ユニット１により映像を観察する角度による色彩の変化を抑制することができる。以下に詳しく説明する。
【００６２】
はじめに、光拡散材含有層を含まない光学シートについて考察する。光路例を図４に示した。これによれば、映像光Ｌ１１、Ｌ１２、Ｌ１３からなる映像光Ｌ１は次のように観察者側に出射する。すなわちプリズム部に入射した映像光Ｌ１１は、プリズム部と光吸収部との界面の点Ａで全反射し、映像光Ｌ１２となる。当該全反射の際には波長による屈折率の違いに起因する波長分散を生じているので、映像光Ｌ１２は観察角度による色彩変化を含んでいる。さらに、映像光Ｌ１２はプリズム部の出射面である界面Ｂに達してここを透過して映像光Ｌ１３となる。当該透過の際には界面前後の屈折率差により屈折が生じるが、ここでも波長分散を生じる。従って、この場合には、映像光Ｌ１２において含まれていた波長分散が映像光Ｌ１３によりさらに冗長されるため、観察角度による色彩の変化が大きく現れる。特にシート法線に対して角度が大きい程に青みが増すという色彩の変化が顕著である。そして隣接して概ね同じ光路を有してプリズム部に入射した映像光は、当該映像光Ｌ１と概ね同じ光路を進むので、波長分散も概ね同じように生じることから、観察角度による色彩の変化も同じであり、これにより観察者は色彩の変化を強く感じることになる。
【００６３】
次に従来の光拡散材含有層を積層させた場合を考える。図５に光路例を示した。これによれば、映像光Ｌ２、Ｌ２’は次のように観察者側に出射する。すなわち概ね同じようにプリズム部に入射した映像光Ｌ２１、Ｌ２１’は、プリズム部と光吸収部との界面の点Ｃで全反射し、映像光Ｌ２２、Ｌ２２’となる。当該全反射の際には波長による屈折率の違いに起因する波長分散を生じているので、映像光Ｌ２２、Ｌ２２’は観察角度による色彩変化を含んでいる。さらに映像光Ｌ２２、２２’はプリズム部の出射面を透過して光拡散材含有層に達する。そしてここに含まれる光拡散粒子の効果により映像光Ｌ２２と映像光Ｌ２２'とはその光路がそれぞれ異なる方向に変更されて拡散する。これにより例えこの後に観察者側に出光する映像光Ｌ２３、Ｌ２３’が波長分散を含むものであっても光拡散材含有層による映像光の拡散により、一方向にのみ所定の波長が集まり難くなり、観察者は観察角度による色彩の変化を感じ難くなる。
【００６４】
しかしながら、従来の光拡散材含有層では、まだ観察角度による色彩の変化を感じることがあった。これは次のような理由に基づくと推察する。図６に説明のための模式的なグラフを示した。図６は横軸をＢ（青色の波長に相当）、Ｇ（緑色の波長に相当）、Ｒ（赤色の波長に相当）とし、縦軸を屈折率としたときのグラフを概念的に示したものである。すなわち、従来のように、アクリル／スチレン等の樹脂を光拡散粒子とした場合には、その屈折率を高くするとアッベ数が小さくなる傾向がある。すると図６に示したように光拡散粒子におけるＲの屈折率とＢの屈折率との差が大きくなるため、波長分散も大きくなる。また、このときにはＢにおける光拡散粒子と基材との屈折率差（ΔＢ１）が他の波長に比べて最も大きくなる。これにより、光拡散材含有層による拡散の際にも特に波長の短い青領域の光が大きく拡散し、シート法線方向に対して大きな角度に進行してしまう傾向がある。従って、光拡散材含有層による色彩の変化の緩和の上記効果を有しつつも、その効果は不十分であった。
【００６５】
これに対して、映像源ユニット１を備える映像表示装置は例えば次のように作動する。図７に光路例を示した。映像光Ｌ３、Ｌ３’は次のように観察者側に出射する。すなわち概ね同じようにプリズム部１３に入射した映像光Ｌ３１、Ｌ３１’は、プリズム部１３と光吸収部１４との界面の点Ｄで全反射し、映像光Ｌ３２、Ｌ３２’となる。このとき当該界面は上記したようにシート面法線に対して角度θを有して形成されているので、映像光Ｌ３２、３２’は、映像光Ｌ３１、３１’に対して拡散する方向に映像光を出射することができる。これにより、広い視野角を得ることが可能となる。
【００６６】
また、当該全反射の際には波長による屈折率の違いに起因する波長分散を生じているので、映像光Ｌ３２、Ｌ３２’は若干の角度による色彩変化を含んでいる。さらに映像光Ｌ３２、Ｌ３２’はプリズム部１３の出射面を透過して光拡散材含有層１８に達する。そしてここに含まれる光拡散粒子の効果により映像光Ｌ３２と映像光Ｌ３２'とはその光路がそれぞれ異なる方向に変更されて拡散する。これにより例えこの後に観察者側に出光する映像光Ｌ３３、Ｌ３３’が波長分散を含むものであっても光拡散材含有層による映像光の拡散により一方向にのみ所定の波長が集まり難くなり、観察者は観察角度による色彩の変化を感じ難くなる。
【００６７】
これに加えて、光拡散材含有層１８に備えられる基材と光拡散粒子とは上記説明した関係を有して形成されている。これにより従来において生じていた観察角度による色彩変化をさらに抑制することが可能となる。これは次のような理由に基づくと推察する。図８に説明のための模式的なグラフを示した。図８は、図６と同様、横軸をＢ（青色の波長に相当）、Ｇ（緑色の波長に相当）、Ｒ（赤色の波長に相当）とし、縦軸を屈折率としたときのグラフを概念的に示したものである。すなわち、光拡散材含有層１８のように、光拡散粒子が基材よりも高い屈折率を維持しつつ、アッベ数においても大きいものであれば、光拡散粒子においてＲの屈折率とＢの屈折率との差を小さく抑えることができ、波長分散は小さくなる。また、このときには、Ｂにおいて光拡散粒子と基材との屈折率差（ΔＢ２）が他の波長に比べて最も小さくなる。
以上により、光拡散材含有層１８における光の拡散の際にも、波長の短い青領域の光が大きく拡散することがなく、光拡散材含有層１８による色彩変化の緩和の上記効果と相まって観察角度による色彩の変化を抑制することができる。
【００６８】
図９に他の光路例を示した。光吸収部１４、１４に反射や吸収をされることなくプリズム部１３を透過する映像光Ｌ４、Ｌ４’においても光拡散材含有層１８の効果によりその出光方向が変わる。これにより映像光が拡散される。そしてここでも上記映像光Ｌ３、Ｌ３’と同様に観察角度による色彩の変化を抑制することができる。
【００６９】
また、外光として映像表示装置に入射した外光Ｌ５は光吸収部１４に入射してここで吸収される。このように外光の一部が光吸収部１４、１４、…に吸収されてコントラストを向上させることができる。
【００７０】
図１０は光学シート１０の第一の変形例にかかる光学シート１０’の断面を示し、その層構成を模式的に表した図である。光学シート１０’は、上記した光学シート１０の光学機能シート層１２と粘着剤層１７との間に、もう１つの光学機能シート層１２’が積層されている。光学機能シート層１２’は、光学機能シート層１２と同様の構成を有しているが、該光学機能シート層１２’の光吸収部（図１０にはプリズム部１３’のみが現れ、光吸収部は現れない。）が光学機能シート層１２の光吸収部１４、１４、…と直交するような向きで配置されている。これにより映像光が拡散される方向が拡張され、さらに広い範囲に光を拡散させることが可能となる。
【００７１】
図１１は、第二の変形例に係る光学シート３０のうち、光学機能シート層３１の構成を模式的示した斜視図である。図１１では、分かりやすさのため斜視図の上と右にそれぞれ断面図を示している。光学機能シート層３１以外の構成は上記した光学シート１０の構成と共通するので、ここでは説明を省略する。また図１１の斜視図において紙面手前が観察者側、紙面奥が光源側である。
【００７２】
図１１に示した光学機能シート層３１では、断面が三角形である光吸収部３３ａ、３３ａ、…、３３ｂ、３３ｂ、…が格子状に形成され、格子により囲まれた各領域がプリズム部３２、３２、…となっている。
【００７３】
ここでは光吸収部３３ａ、３３ａ、…、３３ｂ、３３ｂ、…断面が三角形であるとしたが、ここが台形であってもよい。この時には台形の短い上底が光源側に、台形の長い下底が観察者側になるように配置される。
【００７４】
第二の変形例では、このように一枚の光学機能シート層３１の中で光吸収部が格子状に形成されている。そして当該格子状は略直角に交わっているのが特徴である。このように形成することにより、１枚の光学機能シート層３１で水平、及び垂直方向に視野角を広げることができる。従って、光学シートの厚さを薄くしつつ、あらゆる方向に視野角を広げることが可能となる。
【００７５】
図１２は、第三の変形例に係る光学シート４０のうち、光学機能シート層４１の構成を模式的示した斜視図である。図１２では、分かりやすさのため斜視図の右に断面図を示している。光学機能シート層４１以外の構成は上記した光学シート１０の構成と共通するので、ここでは説明を省略する。また図１２の斜視図において紙面手前が観察者側、紙面奥が光源側である。
【００７６】
図１２に示した光学機能シート層４１では、断面が三角形である光吸収部４３ａ、４３ａ、…、４３ｂ、４３ｂ、…が格子状に形成され、格子により囲まれた各領域がプリズム部４２、４２、…となっている。
【００７７】
ここでは光吸収部４３ａ、４３ａ、…、４３ｂ、４３ｂ、…断面が三角形であるとしたが、ここが台形であってもよい。この時には台形の短い上底が光源側に、台形の長い下底が観察者側になるように配置される。
【００７８】
第三の変形例でも、一枚の光学機能シート層の中で光吸収部が格子状に形成されている。そして当該格子状は所定の角度αの角度を有して交わっているのが特徴である。このように形成することにより、当該αに対応する所定の角度への視野角特性を向上させることができる。
【００７９】
次に実施例を示し、さらに詳しく説明する。ただし、本発明は実施例の範囲に限定されるものではない。
【実施例】
【００８０】
（実施例１）
実施例１として、屈折率の差及びアッベ数の差が観察角度による色彩の変化に与える影響を２つの光学シート（Ｎｏ．１、Ｎｏ．２）により調べた。Ｎｏ．１（本発明例）としてＰＥＴフィルム層（厚さ１８８μｍ）、光学機能シート層（厚さ１００μｍ）、粘着剤層、光拡散材含有層（厚さ２５μｍ）、ＴＡＣフィルム層、及びＡＧ層を備える光学シートを準備した。ここで、光学機能シート層のプリズム部ピッチは５０μｍ、斜辺の角度（θ）は１０度である。また、光拡散材含有層の基材はアクリル樹脂であり、屈折率及びアッベ数は表１に示した通りである。光拡散粒子はガラスビーズであり、具体的な材質、屈折率、平均粒径、及びアッベ数は表１に示した。ガラスビーズの基材に対する含有濃度は１５パーツとした。【００８１】
一方、Ｎｏ．２（比較例）として同様の層構成を有し、光拡散材含有層の条件を変更した光学シートを準備した。Ｎｏ．２の光学シートの光拡散材含有層の基材はＮｏ．１と同じとした。光拡散粒子は、樹脂ビーズであり、具体的な材質、屈折率、平均粒径、及びアッベ数は表１に示した。樹脂ビーズの基材に対する含有濃度は１５パーツとした。【００８２】
試験は上記実施例、及び比較例の光学シートを映像源に積層し、目視によりおこなった。目視は画面の中心から該画面の法線方向に所定の距離離隔した位置、及び該法線から６０度の角度を有する位置から観察をおこなった。ここで所定の距離は画面の高さ方向長さの３倍とした。光拡散材含有層の主要な条件と目視結果を表１に示す。目視の結果、法線方向における観察と、６０度位置における観察との比較において、その色彩に違いが小さく抑えられていた時を○とし、色彩の違いが大きかったときには×とした。【００８３】
【表１】
0005633372.tif 000002
【００８４】
表１からわかるように、光拡散粒子の屈折率及びアッベ数が基材の屈折率及びアッベ数よりも大きい本発明例（Ｎｏ．１）の光学シートにより観察角度による色彩の変化を少なく抑えることができた。【００８５】
以下実施例２、実施例３で、さらに詳しく調べた。
（実施例２）
実施例２では、基材と光拡散粒子との屈折率差の影響を調べた。基材は上記実施例１と同じである。表２に実施例２（Ｎｏ．３〜Ｎｏ．５）における基材及び光拡散粒子の条件及び目視の結果を示した。ここで△で表わしたのは、観察角度による色彩の変化を少なく抑えることができたものの、その程度が他に比べて若干低かったことを意味する。【００８６】
【表２】
0005633372.tif 000003
【００８７】
表２からわかるように、屈折率差が０以下のときには観察角度による色彩の変化が表れた（Ｎｏ．５）。一方、光拡散粒子の屈折率を基材の屈折率より大きくし、かつアッベ数も基材の屈折率及びアッベ数よりも大きくすることで、観察角度による色彩の変化を少なく抑えることができた。【００８８】
また、上記したように屈折率差を０．０６より大きくした場合には、光拡散効果は大きいが、そのために所定の光拡散特性を得るための光拡散粒子数が少なくなり、ぎらつき（シンチレーション）の原因となる。【００８９】
（実施例３）
実施例３では、光拡散粒子の粒径の影響を調べた。基材は上記実施例１と同じである。表３に実施例３（Ｎｏ．６〜Ｎｏ．１０）における基材及び光拡散粒子の条件及び目視の結果を示した。ここで△で表わしたのは、観察角度による色彩の変化を少なく抑えることができたものの、その程度が他に比べて若干低かったことを意味する。【００９０】
【表３】
0005633372.tif 000004
【００９１】
表３からわかるように、光拡散粒子の屈折率及びアッベ数が基材の屈折率及びアッベ数よりも大きくことにより観察角度による色彩の変化を少なく抑えることができるが、その程度には光拡散粒子の粒径の影響があることもわかった。【００９２】
以上、現時点において最も実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う光学シート、及び映像表示装置も本発明の技術的範囲に包含されるものとして理解されなければならない。
【図１】
0005633372.tif 000005
【図２】
0005633372.tif 000006
【図３】
0005633372.tif 000007
【図４】
0005633372.tif 000008
【図５】
0005633372.tif 000009
【図６】
0005633372.tif 000010
【図７】
0005633372.tif 000011
【図８】
0005633372.tif 000012
【図９】
0005633372.tif 000013
【図１０】
0005633372.tif 000014
【図１１】
0005633372.tif 000015
【図１２】
0005633372.tif 000016